(57)【特許請求の範囲】
【請求項１】
馬蹄辺（２）の両端を底辺（３）で橋渡しして閉じた馬蹄形状の編み布（４）を設け、該馬蹄辺（２）沿いに伸縮線（５）を設け、該伸縮線（５）の両端を連接することで底辺（３）の両端域を繋いで通し穴（６）を設けてカバー（１）を形成し、前記底辺（３）の繋ぎ箇所を連接部（７）とし、該通し穴（６）にブラシ（８）の柄（９）を通してカバー（１）を被せ、該カバー（１）の編み目からブラシ（８）の立毛（１０）が抜き出ることを特徴としたヘアブラシ清掃用カバー。
【発明の詳細な説明】
【技術分野】
【０００１】
本発明は、ヘアブラシへカバーを事前に被せておいて、ブラッシングで絡みついた毛髪やゴミの除去を、該カバーを脱がすことで行うヘアブラシ清掃用カバーに関する物である。
【背景技術】
【０００２】
従来のヘアブラシ清掃用カバーは、袋状ネットをブラシの頭部全体に被せ、ブラシの頭部と柄の境界部分である首部で該袋状ネットの開口部を紐状物で絞って縮め、前記絞り込みによって外に出た紐状物をビーズ等で固定する装着構造の物であった。
【先行技術文献】
【特許文献】
【０００３】
【特許文献１】特開２００６−４３３６６号
【発明の概要】
【発明が解決しようとする課題】
【０００４】
従来の技術は、ブラシの首部で袋状カバーの開口部を絞って縮める固定構造であり、該首部は開口部よりも細い事からカバーの開口縁を絞込みゴムなどの紐状物で絞る必要があり、紐状物で絞ればカバーの外に該紐状物が食み出すことになり、食み出した該紐状物はブラブラしているのでブラッシングの邪魔になるという問題点があった。本発明では、前記のような問題の解決を課題にする。
【課題を解決するための手段】
【０００５】
底辺の橋渡しで閉じた馬蹄形状の編み布の馬蹄辺沿いに伸縮線を設け、該伸縮線の両端を連接部で連接することで該底辺の両端域を連接し、該底辺両端域の連接で通し穴を形成したカバーと成り、該通し穴にブラシの柄を通してカバーを被せることで該伸縮線はブラシ頭部の背面で伸縮して装着され、前記装着状態でブラッシングなどでカバーを適宜に加圧すると、カバーの編み目からブラシの立毛が抜き出てくる。
【発明の効果】
【０００６】
カバーは伸縮性に富んだニットを素材に用いており、通し穴に柄を通して被せる構造なので、該通し穴が支えとなるのでブラシ頭部へ容易に被せることができ、前記被せ状態によってブラシ頭部の背面で伸縮線が縮まるので、様々な形状のブラシにも対応できてカバーを密着させることができ、ブラシの首部で縮める構造ではないので、従来技術のように紐状物が食み出すことは有り得ない。
【図面の簡単な説明】
【０００７】
【図１】展開編み布と縫製後カバーとを上下に並列して示した平面図である。（実施例１）
【図２】カバー被せ過程の要部透視正面斜視図である。
【図３】カバー被せ状態で、ブラシが要部透視右側面図で、カバーが要部透視右斜視図である。
【図４】立毛抜き出状態で、ブラシが要部透視右側面図で、カバーが要部透視右斜視図である。
【図５】カバー被せ状態の背面図である。
【発明を実施するための形態】
【０００８】
多様な形状のヘアブラシにも対応して装着できるヘアブラシ清掃カバーを実現した。
【実施例１】
【０００９】
図１は、展開編み布と縫製後カバーとを上下に並列して示した平面図であり、上図は展開状態の編み布４で、下図は縫製後のカバー１である。上図の編み布４は伸縮性に富んだニットを素材に用い、全体は直線的な底辺３で連絡して閉じられた概略馬蹄形状を成し、該底辺３の両端はドーム状に盛り上がった馬蹄辺２と連結しており、底辺３の両端連結箇所は角地であって、該角地は丸く図示しているが角張っていても良い。編み布４は閉じた馬蹄形状を成しているが、伸縮変形自在のニット素材であることから適宜に波打って変形しているのが通常である。該馬蹄辺２より適宜に内側へ縮小移動した沿い線を伸縮線５とし、該伸縮線５はゴムミシン糸などの伸縮糸を用いて縫製によって設けることが望ましく、上図の伸縮線５を破線で図示しているのは縫製を行うための目印線の意味である。該伸縮線５の両端の各々は底辺の末端よりも適宜に内側へ移動した端域に位置している。
【００１０】
下図のカバー１は上図の編み布４を縫製することで形成され、前記カバー１の形成構造は上記伸縮線５の両端を連接部７で連接して該伸縮線５を縮ませることで成しており、該連接部７で底辺３の両端域どうしを連接することで通り穴６を形成できる。伸縮線５の両端を連接して該連接部７を設ける構造ではあるが、伸縮線５の末端どうしを点で連接することは難しいので、伸縮線５の縫合線が該連接部７で交差する構造であることが望ましく、該伸縮線５の縫合は一重であっても良いが、二重であることが望ましく、更に強く伸縮させたい場合では三重以上であっても良く、伸縮線５を縫製後に縮ませるには、編み布４を適宜に引き伸ばした状態で縫えば良い。
【００１１】
図２は、カバー被せ過程の要部透視正面斜視図であり、ブラシ８の立毛１０を有する面を正面とし、通し穴６にブラシ８の柄９を通すことで首部１１上で連接部７が支点となり伸縮線５が大きく伸びるのでカバー１を正面から頭部１２へ楽に被せることができる。
【００１２】
図３は、カバー被せ状態で、ブラシが要部透視右側面図で、カバーが要部透視右斜視図であり、通し穴６にブラシ８の柄９を通したことで連接部７がブラシ８の首部１１の背部で固定され、該連接部７を基準に伸縮線５はブラシ８の頭部１２の背面で縮まるのでカバー１は安定した状態で固定される。
【００１３】
図４は、立毛抜き出状態で、ブラシが要部透視右側面図で、カバーが要部透視右斜視図であり、図３の被せ状態でブラッシングなどをしてカバー１の正面領域を適宜に加圧することで立毛１０は編み布４の編み目から抜き出てくるのであり、立毛１０を編み目から抜き出させる別な方法として別個のブラシの立毛先でカバー１の正面領域を適宜に加圧しても良い。ブラッシング使用の後、カバー１をブラシ８から脱がすことで、該立毛１０に絡み付いた抜け毛やゴミなどをまとめて除去することができ、前記カバー１の脱がし過程は装着過程の逆で行う。
【００１４】
図５は、カバー被せ状態の背面図であり、ブラシ８の頭部１２の背面で伸縮線５が縮まることでカバー１は装着固定されており、該伸縮線５より外周に位置する馬蹄辺２は適宜に縮まることで波打つことになり、前記波打った馬蹄辺２沿い領域帯をフリル域１３とし、該フリル域１３によって装飾効果を高めることが望ましく、別な構造として該フリル域１３を少なくして該馬蹄辺２にレースなどのテープを縫合して装飾効果を高めても良い。
【００１５】
カバー１の通し穴６はブラシ８の柄９を通す役目なので伸縮の必要がないことから首部１１の周囲には絞って縮めるための紐状物が出ることは無い。首部１１で最初に固定される通し穴６の連接部７を支点にしてカバー１はブラシ８の頭部１２を包み込む状態で装着され、該カバー１は伸縮に富んだニット素材であることから、ブラシ８の形状や大きさの多様性にも対応して装着することができる。
【産業上の利用可能性】
【００１６】
本発明は、人の毛髪用のヘアブラシが使用の対象ではあるが、犬や猫などのペット用ブラシとして使用することもできる。
【符号の説明】
【００１７】
１    カバー
２    馬蹄辺
３    底辺
４    編み布
５    伸縮線
６    通し穴
７    連接部
８    ブラシ
９    柄
１０  立毛
【要約】      （修正有）【課題】様々な形状のヘアブラシにも対応して装着できるカバーであり、カバーを事前に装着しておいて、ヘアブラシの立毛に絡み付いた抜け毛やゴミなどを、該カバーを脱がすことで除去できるヘアブラシ清掃用カバーを提供する。【解決手段】閉じた馬蹄形状の編み布４の馬蹄辺２沿いに伸縮線５を設け、該伸縮線５の両端を連接部７で連接することで底辺３の両端域が連接されて通し穴６を形成したカバー１と成り、該通し穴６にブラシ８の柄９を通して該カバー１をブラシ８に被せることでブラシ８の頭部１２の背面で該伸縮線５が縮んで装着され、カバー１は伸縮性に富んだ編み布４が素材であることから様々な形状のブラシにも対応でき、前記カバー１の装着状態でブラッシングなどの加圧で編み布４の編み目からブラシ８の立毛１０は抜き出ることができ、前記装着状態でブラッシング後、該立毛１０に絡み付いた抜け毛やゴミなどの除去を、該カバーを脱がすことで行う。【選択図】図２【図１】
0005508557.tif 000002
【図２】
0005508557.tif 000003
【図３】
0005508557.tif 000004
【図４】
0005508557.tif 000005
【図５】
0005508557.tif 000006